(57)【特許請求の範囲】
【請求項１】
バイアス発振回路から得られるバイアス電流を録音時に録音再生ヘッドに２次巻線から供給するバイアス発振トランスと、
前記２次巻線の両端間に接続され、再生時に前記２次巻線を短絡して前記バイアス電流を前記録音再生ヘッドに供給するのを停止させると同時に録音再生ヘッドのコールド側をグラント又は基準電源に接続し再生ヘッドとして使用し、かつ録音時に前記２次巻線の短絡を解除して前記バイアス電流を前記録音再生ヘッドに供給させる電子スイッチと、
前記再生時に前記２次巻線と前記電子スイッチとともに直列回路を形成して前記バイアス発振トランスに誘導するノイズを減衰させる抵抗と、
前記抵抗に並列に接続され、再生時にはオフ状態でかつ前記録音時に前記電子スイッチの前記２次巻線の短絡解除と同時にオンとなって前記抵抗を短絡する半導体素子と、
を備えてなる録音再生切り換え回路。
【発明の詳細な説明】
【０００１】
【産業上の利用分野】
本発明は、再生時にモータ、電源トランスなどのセットの内部のノイズ源からの誘導ノイズや外部からの誘導ノイズが録音再生ヘッドに重畳されるのを低コストで防止できる録音再生切り換え回路に関する。
【０００２】
【従来の技術】
録音再生ヘッドを備えた音響機器で可聴周波数信号を録音する場合に、記録媒体の表面に塗布されている磁性体をバイアス電流により磁化させて、その上に信号を重畳させるバイアス方法が採用されている。
このバイアス電流を記録媒体に供給するのは、周知のように記録媒体の磁化時にヒステリシス特性が非直線であり、そのまま磁化したのでは、歪みが大きいことに加えて、磁化の大きさも小さく、しかも雑音も大きいのを改善するためである。
このようなバイアス電流を録音時に録音再生ヘッドに供給するために、直流バイアスよりも諸特性がすぐれていることから、通常は交流バイアス電流（以下、バイアス電流という）が用いられている。
このバイアス電流はバイアス発振回路から録音時に録音再生ヘッドに供給するようにしており、再生時にはバイアス発振回路を録音再生ヘッドから切り離すようにしている。
【０００３】
図２は従来の録音再生切り換え回路の構成図である。
この図２における１Ｌ，１Ｒはそれぞれ左チャネル、右チャネル用の録音再生ヘッドである。この録音再生ヘッド１Ｌ，１Ｒの一端は共通にしてバイアス発振回路のバイアス発振トランス２の２次巻線２Ｓを介してグランドまたは基準電源（以下、グランドとして説明を進める）に接続されている。
バイアス発振トランス２の１次巻線２Ｐは図示されていないが、バイアス発振回路の発振素子の出力端に接続するようになっている。
バイアス発振トランス２の２次巻線２Ｓの両端間には、コンデンサＣ１が接続されているとともに、機械的な切り換えスイッチＳ１が接続されている。
前記録音再生ヘッド１Ｌ，１Ｒの他端は、録音再生アンプ３の入力端に接続されている。
【０００４】
このような録音再生切り換え回路においては、録音再生ヘッド１Ｌ，１Ｒによる録音時には、切り換えスイッチＳ１をオフにしてバイアス発振トランス２の２次巻線２Ｓの両端間の短絡を解除して、バイアス発振回路から出力されるバイアス電流をバイアス発振トランス２の２次巻線２Ｓから録音再生ヘッド１Ｌ，１Ｒに供給する。
また、再生時には、切り換えスイッチＳ１をオンにしてバイアス発振トランス２の２次巻線２Ｓの両端間を短絡し、バイアス発振トランス２の２次巻線２Ｓから録音再生ヘッド１Ｌ，１Ｒにバイアス電流が供給されないようにし、同時に録音再生ヘッドのコールド側を、グランドに接続して、再生ヘッドとして使用できる様にしている。
このようにすることにより、モータや電源トランスなどのセット内部のノイズ源からのノイズがバイアス発振トランス２の２次巻線２Ｓに誘導されても、再生時に録音再生ヘッド１Ｌ，１Ｒに印加されるのを回避することができる。
【０００５】
この図２の録音再生切り換え回路の場合には、回路構成が簡略で安価に再生時のノイズカットが可能である利点を有する反面、切り換えスイッチＳ１をオン、オフ操作を行うには、メカニカル・デッキの録音レバー（図示せず）で切り換えスイッチＳ１を押す操作をしなければならず、メカニカル・デッキと回路部品を実装するプリント回路基板との間の配置間隔が近い場合はよいが、この両者間が離れている場合には、この両者間を連結する機械的連結機構が必要となる。
この機械的連結機構は、機械的強度、ストローク損失、切り換えタイミングによる問題が不可避である。
【０００６】
この問題を回避するために、図２の録音再生切り換え回路に代えて、図３に示すような録音再生切り換え回路も提案されている。
この図３の場合には、前記機械的な切り換えスイッチＳ１に代えて、電子スイッチＳ２を使用したものである。
この図３において、構成の説明に際し、図２と同一部分には同一符号を付して重複説明を避け、図２と異なる部分のみを説明する。
図３を図２と比較しても明らかなように、図３では、電子スイッチＳ２に共通端子Ｓ２０と再生端子ＰＢと、録音端子ＲＥＣとを有し、再生端子ＰＢはグランドに接続され、共通端子Ｓ２０は録音再生ヘッド１Ｌ，１Ｒの一端に接続され、録音端子ＲＥＣはバイアス発振トランス２の２次巻線２Ｓを介してグランドに接続されている。
【０００７】
このように構成することにより、録音時には、「ハイレベル」の切り換え信号を電子スイッチＳ２の制御端子Ｓ２ｃに印加することにより、共通端子Ｓ２０と録音端子ＲＥＣ間が接続される。
これにより、バイアス発振回路で発生するバイアス電流はバイアス発振トランス２の２次巻線２Ｓから録音再生ヘッド１Ｌ，１Ｒに供給され、録音を行う。
また、再生時には、「ハイレベル」の切り換え信号を電子スイッチＳ２の制御端子に印加するのを停止し、電子スイッチＳ２の共通端子Ｓ２０と再生端子ＰＢとを接続するようにして、録音再生ヘッド１Ｌ，１Ｒの一端をグランドに接続することで再生ヘッドとして使用する。また、バイアス発振トランス２の２次巻線２Ｓを録音再生ヘッド１Ｌ，１Ｒの一端から切り離して、バイアス発振トランス２の２次巻線２Ｓからバイアス電流が録音再生ヘッド１Ｌ，１Ｒに印加されないようにしているとともに、バイアス発振トランス２の２次巻線２Ｓに誘導される内部のノイズ源あるいは外部からのノイズが録音再生ヘッド１Ｌ，１Ｒに印加されるのを回避するこができる。
【０００８】
【発明が解決しようとする課題】
しかしながら、この図３の従来例の場合には、高耐圧の２接点が必要となり、コスト高となる欠点があった。
【０００９】
本発明は、前記事情に鑑みなされたものであって、本発明の目的は、従来の機械的スイッチの使用時の不具合な点を改善でき、信頼性の向上と、設計の自由度の向上とを期すことができ、かつコストを抑制して確実に再生時に録音再生ヘッドにノイズの重畳を防止できる録音再生切り換え回路を提供することにある。
【００１０】
【課題を解決するために手段】
前記目的を達成するために、本発明は、バイアス発振回路から得られるバイアス電流を録音時に録音再生ヘッドに２次巻線から供給するバイアス発振トランスと、前記２次巻線の両端間に接続され、再生時に前記２次巻線を短絡して前記バイアス電流を前記録音再生ヘッドに供給するのを停止させると同時に録音再生ヘッドのコールド側をグラント又は基準電源に接続し再生ヘッドとして使用し、かつ録音時に前記２次巻線の短絡を解除して前記バイアス電流を前記録音再生ヘッドに供給させる電子スイッチと、前記再生時に前記２次巻線と前記電子スイッチとともに直列回路を形成して前記バイアス発振トランスに誘導するノイズを減衰させる抵抗と、この抵抗に並列に接続され、再生時にはオフ状態でかつ前記録音時に前記電子スイッチの前記２次巻線の短絡解除と同時にオンとなって前記抵抗を短絡する半導体素子とを備えたものである。
【００１１】
【作用】
録音時には、切り換え信号を電子スイッチに加えてバイアス発振トランスの２次巻線の短絡を解除すると同時に半導体素子にもこの切り換え信号を印加して抵抗を短絡し、バイアス発振トランスの２次巻線に誘起されるバイアス発振回路からのバイアス電流は録音再生ヘッドに供給して録音を行う。
また、再生時には、切り換え信号は電子スイッチおよび半導体素子に印加されなくなり、電子スイッチはメークしてバイアス発振トランスの２次巻線を短絡することによりバイアス発振トランスの２次巻線に誘導されるノイズを遮断すると同時に半導体素子が非導通となり、抵抗の短絡を解除し、バイアス発振トランスの２次巻線に誘導されるノイズを確実に吸収する。
したがって、従来の機械的スイッチの使用時の不具合な点を改善でき、信頼性の向上と、設計の自由度の向上とを期すことができ、かつコストを抑制して確実に再生時に録音再生ヘッドにノイズが重畳されるのを防止できる。
【００１２】
【実施例】
以下、本発明の録音再生切り換え回路の実施例について図面に基づき説明する。
図１はその一実施例の構成を示す回路図である。
この図１において、構成の説明に際して図２および図３と同一部分には同一符号を付して説明する。
この図１を図３と比較しても明らかなように、図１では、図３における電子スイッチＳ２に代えて電子スイッチＳ３が使用されているとともに、抵抗Ｒ１および半導体素子として、たとえば、トランジスタＴＲ１があらたに付加されている。その他の構成は図３と同じである。
【００１３】
すなわち、録音再生ヘッド１Ｌ，１Ｒの各一端はバイアス発振トランスの２次巻線２ＳとコンデンサＣ１との並列回路および抵抗Ｒ１を直列に介してグランドに接続されているとともに、このバイアス発振トランスの２次巻線２ＳとコンデンサＣ１との並列回路にさらに並列に電子スイッチＳ３が接続されている。
この電子スイッチＳ３は再生時には、メーク接点Ｓ３ａがメークし、録音時には制御端子Ｓ３ｃにハイレベルの切り換え信号が印加されることによりブレークする１メーク１回路の電子スイッチである。
【００１４】
また、前記抵抗Ｒ１は再生時にバイアス発振トランスの２次巻線２Ｓに誘導される、セットのモータや電源トランスなどの内部ノイズ源あるいは外部からのノイズを吸収するための抵抗であり、数キロΩ程度の抵抗値を有するものが使用されている。
この抵抗Ｒ１の両端には、半導体素子であるＮＰＮトランジスタＴＲ１のエッミタとコレクタが並列に接続されている。
トランジスタＴＲ１のベースには、録音時に前記電子スイッチＳ３の制御端子Ｓ３ｃに印加するハイレベルの切り換え信号が同時に印加されるようになっている。その他の構成は図３と同様である。
なお、図１中、１０は録音時にオンされるスイッチであり、このスイッチ１０がオフされることでバイアスが停止される。
【００１５】
次に、以上のように構成された本発明の動作について説明する。
まず、録音時の動作から説明する。
録音時には、電子スイッチＳ３の制御端子Ｓ３ｃとトランジスタＴＲ１のベースにハイレベルの切り換え信号が印加される。
これにより、制御スイッチＳ３がブレークされ、バイアス発振トランスの２次巻線２Ｓの短絡が解除される。
また、トランジスタＴＲ１がオンされ、抵抗Ｒ１がトランジスタＴＲ１により短絡される。
したがって、バイアス発振回路で発生されたバイアス信号はバイアス発振トランスの２次巻線２Ｓから録音再生ヘッド１Ｌ，１Ｒに印加され、この録音再生ヘッド１Ｌ，１Ｒを磁化する。
また録音時には、抵抗Ｒ２がトランジスタＴＲ１により短絡されているので、バイアス発振トランスの２次巻線２Ｓに誘起されたバイアス電流は抵抗Ｒ２で減衰されることがなく、高効率でバイアス電流を録音再生ヘッド１Ｌ，１Ｒに供給して、記録媒体の表面の磁化を行うことができる。
【００１６】
次に、再生時の動作について説明する。
再生時は、切り換え信号は電子スイッチＳ３の制御端子Ｓ３ｃに印加されなくなるとともに、トランジスタＴＲ１のべースにも印加されない。
したがって、電子スイッチＳ３はメークされ、バイアス発振トランスの２次巻線２Ｓが電子スイッチＳ３により短絡され、バイアス発振回路で発生されたバイアス信号は録音再生ヘッド１Ｌ，１Ｒに供給されなくなると同時に録音再生ヘッドのコールド側をグラント又は基準電源に接続し再生ヘッドとして使用する。
これと同時に、電子スイッチＳ３のメーク時には、そのオン抵抗が数Ω程度あり、バイアス発振トランス２がピックアップとなって、誘導ノイズをピックアップし易くなるが、このノイズは抵抗Ｒ１により減衰され、録音再生ヘッド１Ｌ，１Ｒに印加されることがなくなる。
【００１７】
この場合、抵抗Ｒ１がないと、再生時に電子スイッチＳ３がオンとなることによりバイアス発振トランスの２次巻線２Ｓと電子スイッチＳ３とによる閉回路が形成されることになり、上述のようにバイアス発振トランスの２次巻線２Ｓが誘導ノイズを拾い易くなり、このノイズは数Ωの電子スイッチＳ３のオン抵抗を通して録音再生ヘッド１Ｌ，１Ｒに印加され、録音再生ヘッド１Ｌ，１Ｒを経て録音再生アンプ３で増幅されることになる。
しかし、本発明では、上述のように、抵抗Ｒ１が電子スイッチＳ３とバイアス発振トランスの２次巻線２Ｓとの間に挿入されているので、ノイズ成分が抵抗Ｒ１により減衰され、ノイズが録音再生ヘッド１Ｌ，１Ｒに印加されることを防止することできる。
【００１８】
なお、前記実施例では、半導体素子として、トランジスタＴＲ１を使用した場合を例示したがその他のサイリスタ等の任意の半導体素子を使用できることはいうまでもない。
【００１９】
【発明の効果】
以上の説明で明らかように、本発明は、バイアス発振回路から得られるバイアス電流を録音時に録音再生ヘッドに２次巻線から供給するバイアス発振トランスと、前記２次巻線の両端間に接続され、再生時に前記２次巻線を短絡して前記バイアス電流を前記録音再生ヘッドに供給するのを停止させると同時に録音再生ヘッドのコールド側をグラント又は基準電源に接続し再生ヘッドとして使用し、かつ録音時に前記２次巻線の短絡を解除して前記バイアス電流を前記録音再生ヘッドに供給させる電子スイッチと、前記再生時に前記２次巻線と前記電子スイッチとともに直列回路を形成して前記バイアス発振トランスに誘起するノイズを減衰させる抵抗と、この抵抗に並列に接続され、再生時にはオフ状態でかつ前記録音時に前記電子スイッチの前記２次巻線の短絡解除と同時にオンとなって前記抵抗を短絡する半導体素子とを備えたので、従来の機械的スイッチの使用時の不具合な点を改善でき、信頼性の向上と、設計の自由度の向上とを期すことができ、かつコストを抑制して確実に再生時に録音再生ヘッドにノイズが重畳されるのを防止することができる。
【図面の簡単な説明】
【図１】本発明の録音再生切り換え回路の一実施例の回路図である。
【図２】従来の機械的スイッチを使用した録音再生切り換え回路の回路図である。
【図３】従来の電子スイッチを使用した録音再生切り換え回路の回路図である。
【符号の説明】
１Ｌ，１Ｒ  録音再生ヘッド
２  バイアス発振トランス
２Ｐ  バイアス発振トランスの１次巻線
２Ｓ  バイアス発振トランスの２次巻線
３  録音再生アンプ
Ｃ１  コンデンサ
Ｒ１，Ｒ２  抵抗
Ｓ３  電子スイッチ
Ｓ３ｃ  制御端子
ＴＲ１  トランジスタ
【図１】
0003642084.tif 000002
【図２】
0003642084.tif 000003
【図３】
0003642084.tif 000004